(57)【要約】【課題】異なるユーザプロファイル間での切り替えを容易に制御可能であるテレビジョンシステムの制御方法の提供。【解決手段】テレビジョン装置とコントローラ装置とを備えるテレビジョンシステムの制御方法であって、該方法は、指紋を検出し、該指紋に関する情報を含む入力指紋認証情報を作成して出力し、該入力指紋認証情報に対応する既存指紋データが特定される際、該既存指紋データに関連つけられるユーザプロファイルデータを特定して、特定した該ユーザプロファイルデータに基づいてテレビジョン装置の操作を制御することを含むように構成される。【選択図】図２
2020088865.tif 000002
【特許請求の範囲】
【請求項１】
テレビジョンシステムの制御方法であって、
前記テレビジョンシステムは、テレビジョン装置とコントローラ装置とを備え、前記テレビジョン装置はプロセッサとデータベースを保存するストレージ部品とを有し、
前記データベースには、少なくとも１つの既存指紋認証情報及び該少なくとも１つの既存指紋認証情報に関連付けられたユーザプロファイルとが保存されており、
前記ユーザプロファイルには、起動情報が含まれる上、年齢情報と該ユーザによる視聴が許可されるチャンネルのリストとプリセット信号源とプリセット画質とプリセット音質とからなる群から選ばれる少なくとも１種類の情報が含まれており、前記起動情報はスタートアップ画面を構成するものであり、バックグラウンド壁紙と表示テーマと再生オーディオファイルとスクリーンセーバーとからなる群から選ばれる少なくとも１種類の情報が含まれており、
前記コントローラ装置は前記テレビジョン装置と通信可能に構成されていると共に、指紋センサーを有しており、
該テレビジョンシステムの制御方法は、
前記指紋センサーにより指紋を検知するステップと、
前記指紋センサーにより指紋が検知されると、前記コントローラ装置により前記指紋センサーが検知した指紋を分析して該指紋に対応する情報が含まれる入力指紋認証情報を取得し、前記コントローラ装置により前記入力指紋認証情報を前記テレビジョン装置に送信するステップと、
前記テレビジョン装置が前記指紋認証情報を受信すると、前記プロセッサは前記ストレージ部品に保存されている前記データベースにアクセスして該入力指紋認証情報にマッチする既存指紋認証情報を検索するステップと、
該入力指紋認証情報にマッチする既存指紋認証情報を検出した場合、検出した既存指紋認証情報に関連付けられているユーザプロファイルを特定済みユーザプロファイルとし、前記プロセッサにより該特定済みユーザプロファイルに基づいて該テレビジョン装置を制御するステップと、
該入力指紋認証情報にマッチする既存指紋認証情報を検出できない場合、前記プロセッサは前記テレビジョン装置のディスプレイを制御して該ディスプレイにマニュアル選択画面を表示させて、前記コントローラ装置のコントロールパッドに対する操作による前記データベースに保存されたいずれか１つの前記ユーザプロファイルの選択を待ち受けし、選択された前記ユーザプロファイルを特定済みユーザプロファイルとし、前記プロセッサにより該特定済みユーザプロファイルに基づいて該テレビジョン装置を制御するステップと、を含み、
前記プロセッサにより該特定済みユーザプロファイルに基づいて該テレビジョン装置を制御するステップにおいては、前記プロセッサは前記特定済みユーザプロファイルに含まれる前記起動情報にアクセスし、該起動情報に基づいて前記スタートアップ画面を前記テレビジョン装置のディスプレイに表示する、
ことを特徴とするテレビジョンシステムの制御方法。
【請求項２】
該入力指紋認証情報にマッチする既存指紋認証情報を検出できない場合、前記プロセッサはゲストモードで該テレビジョン装置を制御することを特徴とする請求項１に記載のテレビジョンシステムの制御方法。
【請求項３】
ユーザプロファイルを新規登録する要求に応じて、新規ユーザを登録するためのプロファイル登録処理として、
ユーザプロファイルを新規作成するステップと、
ユーザーに指を指紋センサーに置く旨の指示メッセージを表示するステップと、
ユーザーの指紋を検知するステップと、
検知した指紋を分析して対応の指紋認証情報を新規作成するステップと、
新規作成した指紋認証情報を新規作成したユーザプロファイルに関連付けて前記既存指紋認証情報として該新規作成したユーザプロファイルと共に前記データベースに保存するステップと、を更に含むことを特徴とする請求項１に記載のテレビジョンシステムの制御方法。
【請求項４】
前記プロセッサにより該特定済みユーザプロファイルに基づいて該テレビジョン装置を制御するステップにおいては、
前記特定済みユーザプロファイルにおいて年齢情報が含まれている場合、前記テレビジョン装置が指定年齢情報が提示される番組を表示するように前記テレビジョン装置の操作が指示された際、前記プロセッサは、前記特定済みユーザプロファイルに含まれる年齢情報と該番組の前記指定年齢情報とを比較して、前記年齢情報が示す年齢が前記指定年齢情報により指定される年齢未満の場合、前記指定年齢情報が提示される番組が表示されないように代わりの画面を表示するように更に構成されることを特徴とする、請求項１に記載のテレビジョンシステムの制御方法。
【請求項５】
前記代わりの画面にはパスワード入力エリアが表示されており、前記パスワード入力エリアに正確なパスワードが入力された場合、前記指定年齢情報が提示される番組を表示するように前記テレビジョン装置を制御することを特徴とする、請求項４に記載のテレビジョンシステムの制御方法。
【請求項６】
前記プリセット信号源は、オンラインメディア再生アプリケーションであり、且つ、
前記プロセッサにより該特定済みユーザプロファイルに基づいて該テレビジョン装置を制御するステップにおいては、前記プロセッサは、前記オンラインメディア再生アプリケーションを実行して、前記オンラインメディア再生アプリケーションから受け取ったメディアストリーミング配信が前記テレビジョン装置の前記ディスプレイで表示されるように前記ディスプレイを制御するように構成されることを特徴とする、請求項１に記載のテレビジョンシステムの制御方法。
【請求項７】
テレビジョン装置及びコントローラ装置を備えるテレビジョンシステムであって、
前記テレビジョン装置は、プロセッサと、ディスプレイと、データベースを保存するストレージ部品とを備え、
前記データベースには、少なくとも１つの既存指紋認証情報及び該少なくとも１つの既存指紋認証情報に関連付けられたユーザプロファイルとが保存されており、前記ユーザプロファイルには、起動情報が含まれる上、年齢情報と該ユーザによる視聴が許可されるチャンネルのリストとプリセット信号源とプリセット画質とプリセット音質とからなる群から選ばれる少なくとも１種類の情報が含まれており、前記起動情報はスタートアップ画面を構成するものであり、バックグラウンド壁紙と表示テーマと再生オーディオファイルとスクリーンセーバーとからなる群から選ばれる少なくとも１種類の情報が含まれており、
前記コントローラ装置は、前記テレビジョン装置と通信可能に構成されていると共に、指紋センサーと、コントロールパッドとを有しており、且つ、
前記指紋センサーに指紋が検出された際、検出した指紋から該指紋に関する情報を含む入力指紋認証情報を作成して、前記入力指紋認証情報を前記テレビジョン装置に送信するよう構成されていて、
前記プロセッサは、
前記入力指紋認証情報の受信に応じて、前記ストレージ部品に保存されている前記データベースにアクセスして該入力指紋認証情報にマッチする既存指紋認証情報を検索し、
該入力指紋認証情報にマッチする既存指紋認証情報を検出した場合、検出した既存指紋認証情報に関連付けられているユーザプロファイルを特定済みユーザプロファイルとし、該特定済みユーザプロファイルに基づいて該テレビジョン装置を制御し、
該入力指紋認証情報にマッチする既存指紋認証情報を検出できない場合、前記テレビジョン装置のディスプレイを制御して該ディスプレイにマニュアル選択画面を表示させて、前記コントローラ装置のコントロールパッドに対する操作による前記データベースに保存されたいずれか１つの前記ユーザプロファイルの選択を待ち受けし、選択された前記ユーザプロファイルを特定済みユーザプロファイルとし、該特定済みユーザプロファイルに基づいて該テレビジョン装置を制御し、
前記特定済みユーザプロファイルに含まれる前記起動情報にアクセスし、該起動情報に基づいて前記スタートアップ画面を前記ディスプレイに表示するように構成されていることを特徴とする、テレビジョンシステム。
【請求項８】
前記プロセッサは、該入力指紋認証情報にマッチする既存指紋認証情報を検出できない場合には、ゲストモードで該テレビジョン装置を制御するよう構成されていることを特徴とする請求項７に記載のテレビジョンシステム。
【請求項９】
前記プロセッサは更に、
ユーザプロファイルを新規登録する要求に応じて、
ユーザプロファイルを新規作成し、
ユーザーに指を指紋センサーに置く旨の指示メッセージを表示し、
ユーザーの指紋を検知すると、検知した指紋を分析して対応の指紋認証情報新規作成する上、新規作成した指紋認証情報を新規作成したユーザプロファイルに関連付けて前記既存指紋認証情報として該新規作成したユーザプロファイルと共に前記データベースに保存するユーザプロファイル登録処理を実行可能に構成されていることを特徴とする請求項７に記載のテレビジョンシステム。
【請求項１０】
前記プロセッサは更に、
前記テレビジョン装置の操作を制御することにおいて、
前記特定済みユーザプロファイルにおいて年齢情報が含まれている場合、前記テレビジョン装置が指定年齢情報が提示される番組を表示するように前記テレビジョン装置の操作が指示された際、前記特定済みユーザプロファイルに含まれる年齢情報と該番組の前記指定年齢情報とを比較して、前記年齢情報が示す年齢が前記指定年齢情報により指定される年齢未満の場合、前記指定年齢情報が提示される番組が表示されないように代わりの画面を表示するように更に構成されていることを特徴とする、請求項７に記載のテレビジョンシステム。
【請求項１１】
前記プリセット信号源は、オンラインメディア再生アプリケーションであり、且つ、
前記プロセッサは更に、
前記テレビジョン装置の操作を制御することにおいて、前記オンラインメディア再生アプリケーションを実行して、前記オンラインメディア再生アプリケーションから受け取ったメディアストリーミング配信が前記テレビジョン装置の前記ディスプレイで表示されるように制御するよう構成されていることを特徴とする、請求項７に記載のテレビジョンシステム。
【発明の詳細な説明】
【技術分野】
【０００１】
本発明はテレビジョンシステム及び該テレビジョンシステムを制御する方法に関する。
【背景技術】
【０００２】
テレビジョン（テレビ）装置は一般にグループの人々（例えば、家族）の間で共有される。そんな中、グループのメンバーの利用習慣は大きく異なり得る。また、高齢者の方や小さい子供にとって、チャンネルを切り替えること以外にいくつかの機能を有するスマートテレビ装置を操作することが困難である問題は残されている。
【先行技術文献】
【特許文献】
【０００３】
【特許文献１】中国特許出願公開第ＣＮ１０１２４２４８０Ａ号明細書
【発明の概要】
【発明が解決しようとする課題】
【０００４】
従って、本発明は、比較的に簡単に制御できると共に、グループのメンバーにそれぞれ対応する異なるユーザプロファイルの間で切り替えるように制御可能にするテレビジョンシステム及び該テレビジョンシステムを制御する方法を提供することを目的とする。
【課題を解決するための手段】
【０００５】
上記目的に達成すべく、本発明は、テレビジョン装置及びコントローラ装置を備えるテレビジョンシステムであって、
前記テレビジョン装置は、プロセッサと、ディスプレイと、データベースを保存するストレージ部品とを備え、
前記データベースには、少なくとも１つの既存指紋認証情報及び該少なくとも１つの既存指紋認証情報に関連付けられたユーザプロファイルとが保存されており、前記ユーザプロファイルには、起動情報が含まれる上、年齢情報と該ユーザによる視聴が許可されるチャンネルのリストとプリセット信号源とプリセット画質とプリセット音質とからなる群より選ばれる少なくとも１種類の情報が含まれており、前記起動情報はスタートアップ画面を構成するものであり、バックグラウンド壁紙と表示テーマと再生オーディオファイルとスクリーンセーバーとからなる群より選ばれる少なくとも１種類の情報が含まれており、
前記コントローラ装置は前記テレビジョン装置と通信可能に構成されていると共に、指紋センサーと、コントロールパッドとを有しており、且つ、
前記指紋センサーに指紋が検出された際、検出した指紋から該指紋に関する情報を含む入力指紋認証情報を作成して、前記入力指紋認証情報を前記テレビジョン装置に送信するよう構成されていて、
前記プロセッサは、前記入力指紋認証情報の受信に応じて、前記ストレージ部品に保存されている前記データベースにアクセスして該入力指紋認証情報にマッチする既存指紋認証情報を検索し、
該入力指紋認証情報にマッチする既存指紋認証情報を検出した場合、検出した既存指紋認証情報に関連付けられているユーザプロファイルを特定済みユーザプロファイルとし、該特定済みユーザプロファイルに基づいて該テレビジョン装置を制御し、
該入力指紋認証情報にマッチする既存指紋認証情報を検出できない場合、前記テレビジョン装置のディスプレイを制御して該ディスプレイにマニュアル選択画面を表示させて、前記コントローラ装置のコントロールパッドに対する操作による前記データベースに保存されたいずれか１つの前記ユーザプロファイルの選択を待ち受けし、選択された前記ユーザプロファイルを特定済みユーザプロファイルとし、該特定済みユーザプロファイルに基づいて該テレビジョン装置を制御し、
前記特定済みユーザプロファイルに含まれる前記起動情報にアクセスし、該起動情報に基づいて前記スタートアップ画面を前記ディスプレイに表示するように構成されていることを特徴とする、テレビジョンシステムを提供する。
【０００６】
また、本発明は、テレビジョンシステムの制御方法であって、
前記テレビジョンシステムは、テレビジョン装置とコントローラ装置とを備え、前記テレビジョン装置はプロセッサとデータベースを保存するストレージ部品とを有し、
前記データベースには、少なくとも１つの既存指紋認証情報及び該少なくとも１つの既存指紋認証情報に関連付けられたユーザプロファイルとが保存されており、
前記ユーザプロファイルには、起動情報が含まれる上、年齢情報と該ユーザによる視聴が許可されるチャンネルのリストとプリセット信号源とプリセット画質とプリセット音質とからなる群より選ばれる少なくとも１種類の情報が含まれており、前記起動情報はスタートアップ画面を構成するものであり、バックグラウンド壁紙と表示テーマと再生オーディオファイルとスクリーンセーバーとからなる群により選ばれる少なくとも１種類の情報が含まれており、
前記コントローラ装置は前記テレビジョン装置と通信可能に構成されていると共に、指紋センサーを有しており、
該テレビジョンシステムの制御方法は、
前記指紋センサーにより指紋を検知するステップと、
前記指紋センサーにより指紋が検知されると、前記コントローラ装置により前記指紋センサーが検知した指紋を分析して該指紋に対応する情報が含まれる入力指紋認証情報を取得し、前記コントローラ装置により前記入力指紋認証情報を前記テレビジョン装置に送信するステップと、
前記テレビジョン装置が前記指紋認証情報を受信すると、前記プロセッサは前記ストレージ部品に保存されている前記データベースにアクセスして該入力指紋認証情報にマッチする既存指紋認証情報を検索するステップと、
該入力指紋認証情報にマッチする既存指紋認証情報を検出した場合、検出した既存指紋認証情報に関連付けられているユーザプロファイルを特定済みユーザプロファイルとし、前記プロセッサは該特定済みユーザプロファイルに基づいて該テレビジョン装置を制御するステップと、
該入力指紋認証情報にマッチする既存指紋認証情報を検出できない場合、前記プロセッサは前記テレビジョン装置のディスプレイを制御して該ディスプレイにマニュアル選択画面を表示させて、前記コントローラ装置のコントロールパッドに対する操作による前記データベースに保存されたいずれか１つの前記ユーザプロファイルの選択を待ち受けし、選択された前記ユーザプロファイルを特定済みユーザプロファイルとし、前記プロセッサにより該特定済みユーザプロファイルに基づいて該テレビジョン装置を制御するステップと、を含み、
前記プロセッサにより該特定済みユーザプロファイルに基づいて該テレビジョン装置を制御するステップにおいては、前記プロセッサは前記特定済みユーザプロファイルに含まれる前記起動情報にアクセスし、該起動情報に基づいて前記スタートアップ画面を前記テレビジョン装置のディスプレイに表示する、
ことを特徴とするテレビジョンシステムの制御方法をも提供する。
【発明の効果】
【０００７】
上記構成により、本発明は、指紋認証により特定された特定済みユーザプロファイルに含まれる前記起動情報にアクセスし、該起動情報に基づいて前記スタートアップ画面を表示して該テレビジョンシステムを制御するため、高齢者の方や小さい子供はチャンネルを切り替えること以外の操作はしなくてすむようになり、全く新しいテレビジョンシステム及び該テレビジョンシステムを制御する方法を提供することができる。
【図面の簡単な説明】
【０００８】
【図１】本発明のテレビジョンシステムの構成が示されるブロック図である。
【図２】ユーザプロファイル登録処理が示されるフローチャートである。
【図３】ログイン処理が示されるフローチャートである。
【発明を実施するための形態】
【０００９】
本発明をより詳細に説明する前に、適切と考えられる場合において、符号又は符号の末端部は、同様の特性を有し得る対応の又は類似の要素を示すために各図面間で繰り返し用いられることに留意されたい。
【００１０】
図１は本発明のテレビジョンシステムの構成が示されるブロック図である。図示のように、本発明のテレビジョンシステムは、テレビジョン装置１５０と、コントローラ装置１００とを備えている。
【００１１】
（テレビジョン装置１５０）
テレビジョン装置１５０は、ディスプレイ１５２と、通信部品１５４と、ストレージ部品１５６と、ユーザインターフェイス１５８と、プロセッサ１６０と、を有している。
【００１２】
プロセッサ１６０は、１つまたは複数のソフトウェアアプリケーションを実行することにより、該実行されるソフトウェアアプリケーションに対応する機能を発揮可能に構成されている。本発明のテレビジョンシステムに用いられるプロセッサ１６０としては、例えば、シングルコアプロセッサ、マルチコアプロセッサ、デュアルコアモバイルプロセッサ、マイクロプロセッサ、マイクロコントローラ、デジタルシグナルプロセッサ（ＤＳＰ）、フィールドプログラマブルゲートアレイ（ＦＰＧＡ）、特定用途向け集積回路（ＡＳＩＣ）、ＲＦＩＣ（radio-frequency integrated circuit）などを用いることができるが、これらに限らず、レジスタもしくはメモリからの電子データを他の電子データに変換する処理を実行可能な装置または装置の一部であれば、本発明におけるプロセッサ１６０として用いることができる。
【００１３】
通信部品１５４は短距離無線通信技術を用いてコントローラ装置１００と通信可能に構成されたものであり、また、通信部品１５４はネットワーク（例えばインターネット）を利用してデータを転送するように構成することも可能である。前記短距離無線通信技術としては、例えばブルートゥース（登録商標）、Ｗｉ-Ｆｉ（登録商標）などが挙げられ、ネットワークを利用してデータを転送する技術としては、たとえばＬＴＥ（Long Term Evolution）、３Ｇ、４Ｇ、無線モバイル通信技術などが挙げられる。
【００１４】
この実施形態において、ストレージ部品１５６は、不揮発性（non-transitory）の記憶媒体が用いられており、例えば、ＲＯＭ、ＲＡＭ、磁性ディスクストレージメディア、光学ストレージメディア、フラッシュメモリ、ソリッドステートドライブ装置（ＳＳＤ）、もしくは他の不揮発性の記憶媒体を本発明におけるストレージ部品１５６として用いることができる。
【００１５】
本発明において、ストレージ部品１５６には、該テレビジョン装置１５０にインストールされた少なくとも１つのソフトウェアアプリケーションが保存されている。該ソフトウェアアプリケーションとしては、例えば該テレビジョン装置１５０が複数の機能を実行するためのオペレーションシステムであることができる。例えば、ＹｏｕＴｕｂｅ（登録商標）、ＮＥＴＦＬＩＸ（登録商標）、ＧｏｏｇｌｅＰｌａｙ Ｍｏｖｉｅ（登録商標）などのオンラインメディア再生アプリケーションなどが挙げられる。
【００１６】
更に、ストレージ部品１５６にはデータベースが保存されており、該データベースには、少なくとも１つの既存指紋認証情報及び該少なくとも１つの既存指紋認証情報に関連付けられたユーザプロファイルが保存されている。
【００１７】
該ユーザプロファイルは、例えば該テレビジョンシステムを所有するファミリーメンバーの一員に対応するものであり、該ユーザプロファイルには、起動情報が含まれる上、年齢情報と該ユーザによる視聴が許可されるチャンネルのリストとプリセット信号源とプリセット画質とプリセット音質とからなる群から選ばれる少なくとも１種類の情報が含まれている。起動情報はスタートアップ画面を構成するものであり、バックグラウンド壁紙と表示テーマと再生オーディオファイルとスクリーンセーバーとからなる群から選ばれる少なくとも１種類の情報が含まれる。
【００１８】
（コントローラ装置１００）
コントローラ装置１００は、例えばリモートコントローラとして構成されることができ、コントロールパッド１０６と、テレビジョン装置１５０と通信するための通信部品１０４と、指紋センサー１０２とを有している。
【００１９】
通信部品１０４はテレビジョン装置１５０側の通信部品１５４と無線通信する機能を持ち、例えばテレビジョン装置１５０側の通信部品１５４に準ずる構成を有することができる。また、指紋センサー１０２は従来の技術を用いて指紋を検出し、検出した指紋から該指紋に関する情報を含む入力指紋認証情報を作成して通信部品１０４を経由してテレビジョン装置１５０（通信部品１５４）に転送することができるように構成されている。
【００２０】
テレビジョン装置１５０が起動されると、プロセッサ１６０はユーザーにコントローラ装置１００を使用して新規ユーザーの登録操作（例えば、ユーザーに登録ユーザーとして登録することを求めるサインアップボタンを表示する）を完了させる要求、もしくは既存ユーザーの認証操作（例えば、登録ユーザーに認証を求めるログインボタンを表示する）を完了させる要求を実行する。
【００２１】
（ユーザプロファイル登録処理）
ユーザーがコントローラ装置１００のコントロールパッド１０６を操作することによりサインアップボタンが選択されると、コントローラ装置１００からユーザプロファイルの新規登録リクエストがテレビジョン装置１５０に送信され、これに応じて、プロセッサ１６０はユーザプロファイル登録処理を実行する。図２は本実施形態におけるユーザプロファイル登録処理が示されるフローチャートである。
【００２２】
ステップＳ２０２では、プロセッサ１６０は新規ユーザプロファイルを登録する要求に応じて、該ユーザーに対応する新規ユーザプロファイルを作成する。この新規ユーザプロファイルを登録する要求は、例えばコントローラ装置１００を操作することにより成されることができる。
【００２３】
ステップＳ２０４では、ユーザーに指をコントローラ装置１００の指紋センサー１０２に置く旨の指示メッセージを、ディスプレイ１５２に表示する。
【００２４】
ステップＳ２０６では、コントローラ装置１００の指紋センサー１０２が起動される。ここで、指紋センサー１０２は所定の時間（例えば３０秒）のみ起動されるように制御され、該所定の時間内に指紋センサー１０２が指紋を検出すると、ステップＳ２０８を実行し、該所定の時間内に指紋センサー１０２が指紋を検出できない場合、ステップＳ２０４に戻り、もしくはユーザプロファイル登録処理を終了するように構成することができる。
【００２５】
指紋センサー１０２に置かれた指の指紋が検出されると、ステップＳ２０８を実行する。ステップＳ２０８では、検出した指紋を分析して対応の指紋認証情報を新規作成し、ステップＳ２１０に移る。なお、ステップＳ２０６において検出した指紋から対応の指紋認証情報を作成することに失敗した場合はステップＳ２０４に戻り、ユーザーに指をコントローラ装置１００の指紋センサー１０２に置く旨の指示メッセージを再びディスプレイ１５２に表示する。
【００２６】
ステップＳ２１０では、コントローラ装置１００から新規作成した指紋認証情報をテレビジョン装置１５０に転送する。
【００２７】
ステップＳ２１２では、新規作成された指紋認証情報を新規ユーザプロファイルに関連付けて、該新規作成されたユーザプロファイルと共にデータベースに保存する。なお、ここで新規作成された指紋認証情報は既存指紋認証情報としてデータベースに保存される。
【００２８】
ここで、ステップＳ２０６においては、指紋センサー１０２に置かれた指の指紋が検出された際に、まずはコントローラ装置１００から検出した指紋をテレビジョン装置１５０に転送して、テレビジョン装置１５０が受信した指紋を分析して対応の指紋認証情報を新規作成する上、作成した指紋認証情報を既存指紋認証情報として、新規作成されたユーザプロファイルに関連付けて該新規作成したユーザプロファイルと共にデータベースに保存するように構成することも可能である。
【００２９】
更に、ユーザプロファイル登録処理において、ステップＳ２１４では、該新規ユーザプロファイルに関連する情報の入力画面を表示する。ユーザーは年齢情報や、該ユーザによる視聴が許可されるチャンネルのリストと、パスワードと、少なくとも１つのプリセット音量、プリセット信号源と、プリセット画質と、プリセット音質など、さまざまな情報を入力することができる。
【００３０】
プリセット信号源は、例えばケーブルテレビ、ＨＤＭＩ（high definition multimedia interface）、いずれかのオンラインメディア再生アプリケーションなどが挙げられる。プリセット音量に関しては、例えば夜間専用の音量などが挙げられる。
【００３１】
更に、本実施形態において、ユーザプロファイルにはスタートアップ画面を構成する起動情報が含まれている。起動情報にはバックグラウンド壁紙と表示テーマと再生オーディオファイルとスクリーンセーバーとからなる群から選ばれる少なくとも１種類の情報が含まれている。該ユーザプロファイルに関連する情報は、プロセッサ１６０により全て該ユーザプロファイルに関連付けられてデータベースに保存される。
【００３２】
以上により、ユーザーによる新規のユーザプロファイル登録処理が完了する。
【００３３】
（ログイン処理）
ユーザーがコントローラ装置１００のコントロールパッド１０６を操作することによりログインボタンが選択されると、コントローラ装置１００からユーザプロファイルの認証リクエストがテレビジョン装置１５０に送信され、これに応じて、プロセッサ１６０はログイン処理を実行する。
【００３４】
図３はログイン処理が示されるフローチャートである。
【００３５】
ステップＳ３０２では、コントローラ装置１００から起動シグナルを受信すると、これに応じて、プロセッサ１６０はログイン処理を実行してディスプレイ１５２にログインに関する指示をログイン画面として表示させる。この実施形態において、ログイン画面はテレビ番組の画面と共に表示されるので、テレビ番組を視聴しながらログインすることができる。
【００３６】
この実施形態において、ログイン画面にユーザネームやパスワードの入力を要求するように構成することも可能であり、また、コントローラ装置１００の指紋センサー１０２を起動してユーザの指紋によるログインを実行することも可能である。以下では指紋によるログインを例としてログイン処理のフローを説明する。
【００３７】
ステップＳ３０４では、コントローラ装置１００の指紋センサー１０２を起動してユーザの指紋を検知し、指紋センサー１０２が指紋を検出すると、コントローラ装置１００は検出した指紋を分析して入力指紋認証情報を取得してテレビジョン装置１５０に転送する。
【００３８】
テレビジョン装置１５０が入力指紋認証情報を受信すると、これに応じて、ステップＳ３０６を実行する。ステップＳ３０６では、プロセッサ１６０にストレージ部品１５６のデータベース内に保存されている既存指紋認証情報から該入力指紋認証情報にマッチするデータを検索する。
【００３９】
該入力指紋認証情報にマッチする既存指紋認証情報が検出されると、プロセッサ１６０は検出された既存指紋認証情報に関連付けられるユーザプロファイルを特定済みユーザプロファイルとして特定して、ステップＳ３０８に進む（ログイン成功）。該入力指紋認証情報にマッチする既存指紋認証情報が検出できない場合、ステップＳ３１０に進む（ログイン失敗）。
【００４０】
ステップＳ３０８では、プロセッサ１６０は該特定済みユーザプロファイルに基づいてテレビジョン装置１５０を制御する。
【００４１】
例えば、プロセッサ１６０は該特定済みユーザプロファイルにおけるプリセット信号源としてオンラインメディア再生アプリケーションを選択して、該テレビジョン装置１５０のディスプレイ１５２を制御して該オンラインメディア再生アプリケーションから受け取ったメディアストリーミング配信画面を表示する。また、プロセッサ１６０は該特定済みユーザプロファイルに基づいてテレビジョン装置１５０のプリセット音量を変更したり、画質や音質を変更したり、もしくは該特定済みユーザプロファイルに対応するスタートアップ画面を表示する。
【００４２】
また、いずれかのユーザプロファイルにログインして該テレビジョン装置１５０を視聴する際、該テレビジョン装置１５０を視聴した履歴もプロセッサ１６０によりデータベースに記録されるように構成することもできる。
【００４３】
また、特定済みユーザプロファイルにおいて年齢情報が含まれている場合、テレビジョン装置１５０が指定年齢情報が提示される（例えば１８歳以上）番組を表示するようにテレビジョン装置１５０の操作が指示された際、プロセッサ１６０は、特定済みユーザプロファイルに含まれる年齢情報と該番組の指定年齢情報とを比較して、年齢情報が示す年齢が指定年齢情報により指定される年齢未満の場合、特定の年齢層しか利用できない番組が表示されないように代わりの画面を表示するように更に構成されることができる。
【００４４】
また、前記代わりの画面にパスワード入力エリアを表示し、前記パスワード入力エリアに正確なパスワードが入力された場合にのみ、前記指定年齢情報が提示される番組を表示するようにテレビジョン装置１５０を制御するように構成することもできる。
【００４５】
該入力指紋認証情報にマッチする既存指紋認証情報が検出できない場合、ステップＳ３１０に進む。
【００４６】
ステップＳ３１０において、プロセッサ１６０はテレビジョン装置１５０のディスプレイ１５２を制御して該ディスプレイ１５２にマニュアル選択画面を表示させて、コントローラ装置１００のコントロールパッド１０６に対する操作によるデータベースに保存されたいずれか１つのユーザプロファイルの選択を待ち受け、選択されたユーザプロファイルを特定済みユーザプロファイルとし、プロセッサ１６０は該特定済みユーザプロファイルに基づいて該テレビジョン装置を制御する。
【００４７】
また、該入力指紋認証情報にマッチする既存指紋認証情報が検出できない場合、プロセッサ１６０がゲストモードに基づいて該テレビジョン装置１５０を制御するように構成されることもできる。
【００４８】
上記構成により、本実施形態においては、指紋認証により特定された特定済みユーザプロファイルに含まれる前記起動情報にアクセスし、該起動情報に基づいて前記スタートアップ画面を表示して該テレビジョンシステムを制御するため、高齢者の方や小さい子供はチャンネルを切り替えること以外の操作はしなくてすむようになり、全く新しいテレビジョンシステム及び該テレビジョンシステムを制御する方法を提供することができる。
【００４９】
上記においては、説明のため、本発明の全体的な理解を促すべく多くの具体的な詳細が示された。しかしながら、当業者であれば、一またはそれ以上の他の実施形態が具体的な詳細を示さなくとも実施され得ることが明らかである。また、本明細書における「一つの実施形態」「一実施形態」を示す説明において、序数などの表示を伴う説明は全て、特定の態様、構造、特徴を有する本発明の具体的な実施に含まれ得るものであることと理解されたい。更に、本説明において、時には複数の変化例が一つの実施形態、図面、またはこれらの説明に組み込まれているが、これは本説明を合理化させるためのもので、また、本発明の多面性が理解されることを目的としたものである。
【００５０】
以上、本発明の好ましい実施形態及び変化例を説明したが、本発明はこれらに限定されるものではなく、最も広い解釈の精神および範囲内に含まれる様々な構成として、全ての修飾および均等な構成を包含するものとする。
【符号の説明】
【００５１】
１００  コントローラ装置
１０２  指紋センサー
１０４  通信部品
１０６  コントロールパッド
１５０  テレビジョン装置
１５２  ディスプレイ
１５４  通信部品
１５６  ストレージ部品
１５８  ユーザインターフェイス
１６０  プロセッサ
【図１】
2020088865.tif 000003
【図２】
2020088865.tif 000004
【図３】
2020088865.tif 000005